(57)【要約】      （修正有）【課題】低温環境下においても、青紫色レーザダイオードを発振出力させる。【解決手段】レーザダイオードの温度が、その発振出力が困難なほどに低温である場合には、制御部は、ステッピングモータの駆動により、回路基板１１０上の高発熱部品の近傍のヒートエリアＡ内に、光ピックアップ１０を移動させる。そして、制御部は、レーザダイオードの温度が、レーザ発振可能な温度となるまで、光ピックアップ１０を待機させる。これにより、レーザダイオードがウォームアップされる。【選択図】図６
2009283079.tif 000002
【特許請求の範囲】
【請求項１】
レーザダイオードと、そのレーザダイオードの温度を検出する検出装置とを有し、そのレーザダイオードからのレーザ光を光ディスク媒体に照射し、その反射光を受光する光ピックアップと、
所定方向に前記光ピックアップを移動させるアクチュエータと、そのアクチュエータを駆動することにより前記光ピックアップの位置制御を行う制御装置とを少なくとも含み、前記光ディスク媒体に対する再生又は記録動作を行うために設けられた電気部品群と、を備え、
前記制御装置は、
前記検出装置によって検出された温度が所定温度を下回っている場合には、
前記アクチュエータの駆動により、前記電気部品群に含まれる高発熱部品の近傍の所定位置に、前記光ピックアップを移動させ、
前記検出装置によって検出された温度が所定温度以上となるまで、前記光ピックアップを、前記所定位置に待機させる光ディスク装置。
【請求項２】
前記電気部品群に含まれる複数の電気部品が実装された回路基板をさらに備え、
前記複数の電気部品のうちの高発熱部品が、前記回路基板上の前記所定位置の近傍に実装されていることを特徴とする請求項１に記載の光ディスク装置。
【請求項３】
前記所定位置の近傍に、熱源としての前記アクチュエータが設置されていることを特徴とする請求項１に記載の光ディスク装置。
【請求項４】
光ディスク装置の光ピックアップ内に設けられたレーザダイオードの温度を調整する調整方法において、
前記レーザダイオードの温度が所定温度を下回っている場合に、前記光ディスク装置内に設けられた電気部品群に含まれる高発熱部品の近傍の所定位置に、前記光ピックアップを移動させる第１の工程と、
前記レーザダイオードの温度が所定温度以上となるまで、前記光ピックアップを、前記所定位置に待機させる第２の工程と、を含むことを特徴とする調整方法。
【請求項５】
光ディスク装置の光ピックアップ内に設けられたレーザダイオードの温度を調整する手順をコンピュータに実行させるプログラムにおいて、
前記レーザダイオードの温度が所定温度を下回っている場合に、前記光ディスク装置内に設けられた電気部品群に含まれる高発熱部品の近傍の所定位置に、前記光ピックアップを移動させる第１の手順と、
前記レーザダイオードの温度が所定温度となるまで、前記光ピックアップを、前記所定位置に待機させる第２の手順と、をコンピュータに実行させることを特徴とするプログラム。
【発明の詳細な説明】
【技術分野】
【０００１】
本発明は、青紫色レーザ光を発振出力するレーザダイオードを有する光ディスク装置、当該レーザダイオードの温度を調整する調整方法及び前記レーザダイオードの温度を調整する手順をコンピュータに実行させるプログラムに関する。
【背景技術】
【０００２】
現在、ＢＤ（Blu-ray）規格又はＨＤ−ＤＶＤ（High Definition-Digital Versatile Disc）規格と、ＤＶＤ（Digital Versatile Disc）規格と、ＣＤ（Compact Disc）規格とのいずれの光ディスク媒体にも対応できる光ディスク装置が製品化されている。この光ディスク装置の光ピックアップは、内部に青紫色レーザ光（ＢＤ又はＨＤ−ＤＶＤ用；波長４０５ｎｍ）を発振出力するレーザダイオードと、赤色レーザ光（ＤＶＤ用；波長６６０〜６９０ｎｍ）を発振出力するレーザダイオードと、近赤外レーザ光（ＣＤ用；波長７８０ｎｍ）を発振出力するダイオードとを備える（例えば、特許文献１参照）。
【０００３】
【特許文献１】特開２００６−２５２６１２号公報
【発明の開示】
【発明が解決しようとする課題】
【０００４】
しかし、上記特許文献１の光ピックアップにおける青紫色レーザ光を発振出力するレーザダイオードは、例えば、０℃以下の低温においては、レーザ発振が困難となる。このため、そのような低温環境下においては、青紫色レーザダイオードを用いて光ディスク媒体に記録されたデータの再生及び記録を行うことができなくなるという不都合があった。
【０００５】
本発明は、上記事情に鑑みてなされたもので、低温環境下においても、青紫色レーザダイオードを発振出力させることができる光ディスク装置、調整方法及びプログラムを提供することを目的とする。
【課題を解決するための手段】
【０００６】
上記目的を達成するために、本発明の第１の観点に係る光ディスク装置は、レーザダイオードと、そのレーザダイオードの温度を検出する検出装置とを有し、そのレーザダイオードからのレーザ光を光ディスク媒体に照射し、その反射光を受光する光ピックアップと、所定方向に前記光ピックアップを移動させるアクチュエータと、そのアクチュエータを駆動することにより前記光ピックアップの位置制御を行う制御装置とを少なくとも含み、前記光ディスク媒体に対する再生又は記録動作を行うために設けられた電気部品群と、を備え、前記制御装置は、前記検出装置によって検出された温度が所定温度を下回っている場合には、前記アクチュエータの駆動により、前記電気部品群に含まれる高発熱部品の近傍の所定位置に、前記光ピックアップを移動させ、前記検出装置によって検出された温度が所定温度以上となるまで、前記光ピックアップを、前記所定位置に待機させる。
【０００７】
また、本発明の第２の観点に係る調整方法は、光ディスク装置の光ピックアップ内に設けられたレーザダイオードの温度を調整する調整方法において、前記レーザダイオードの温度が所定温度を下回っている場合に、前記光ディスク装置内に設けられた電気部品群に含まれる高発熱部品の近傍の所定位置に、前記光ピックアップを移動させる第１の工程と、前記レーザダイオードの温度が所定温度以上となるまで、前記光ピックアップを、前記所定位置に待機させる第２の工程と、を含むことを特徴とする。
【０００８】
また、本発明の第３の観点に係るプログラムは、光ディスク装置の光ピックアップ内に設けられたレーザダイオードの温度を調整する手順をコンピュータに実行させるプログラムにおいて、前記レーザダイオードの温度が所定温度を下回っている場合に、前記光ディスク装置内に設けられた電気部品群に含まれる高発熱部品の近傍の所定位置に、前記光ピックアップを移動させる第１の手順と、前記レーザダイオードの温度が所定温度となるまで、前記光ピックアップを、前記所定位置に待機させる第２の手順と、をコンピュータに実行させることを特徴とする。
【発明の効果】
【０００９】
本発明によれば、青紫色レーザダイオードを有する光ディスク装置が低温環境下にある場合でも、青紫色レーザダイオードを発振出力させることができる。
【発明を実施するための最良の形態】
【００１０】
次に、本発明の一実施形態について図面を参照して詳細に説明する。
【００１１】
図１には、本実施形態に係る光ディスク装置１００の概略的な構成が示されている。光ディスク装置１００は、光ディスク媒体２００に記録されているデータを再生する再生装置である。
【００１２】
光ディスク装置１００は、光ピックアップ１０と、送り機構２０と、ＲＦ回路３０と、信号処理回路４０と、レーザドライバ４５と、デジタルサーボプロセッサ５０（以下、「ＤＳＰ５０」と略述する）と、アクチュエータドライバ６０と、ステッピングモータドライバ７０と、検出回路８０と、スピンドルモータドライバ８５と、スピンドルモータ８６と、制御部９０と、を備える。光ディスク装置１００は、レーザ光の強度を制御するためのＡＰＣ（Automatic Power Control）回路をさらに備えているが、図１では、図面の錯綜を防止するために、その図示が省略されている。
【００１３】
光ピックアップ１０は、例えば、波長４０５ｎｍの青紫色レーザ光を、光ディスク媒体２００の記録面に照射し、その反射光を受光する。光ピックアップ１０は、反射光の受光強度に応じた電気信号を、ＲＦ回路３０に出力する。すなわち、光ピックアップ１０は、光ディスク装置１００の再生ヘッドである。
【００１４】
図２に示されるように、光ピックアップ１０は、送り機構２０により、光ディスク媒体２００の半径方向に移動可能である。送り機構２０は、リードスクリュー２１と、ストッパ２２、２３と、ギア２４と、ステッピングモータ２５と、を備える。リードスクリュー２１は、自由に回転できるように一端が支持されていて、他端にギア（不図示）が形成されている。そして、その他端のギアは、ステッピングモータ２５の回転軸に固定されたギア２４と噛み合っている。この噛み合いにより、ステッピングモータ２５の回転軸が回転すると、リードスクリュー２１が回転するようになる。
【００１５】
リードスクリュー２１には、螺旋状のネジ溝が形成されている。また、光ピックアップ１０には、リードスクリュー２１のネジ溝に係合する歯部（不図示）が設けられている。この係合により、リードスクリュー２１が回転すると、光ピックアップ１０が光ディスク媒体２００の半径方向に移動する。上述した構成により、ステッピングモータ２５の回転軸が回転すると、リードスクリュー２１が回転し、光ピックアップ１０が、光ディスク媒体２００の半径方向に移動するようになる。光ピックアップ１０の移動範囲は、ストッパ２２、２３によって制限されている。
【００１６】
ステッピングモータ２５は、ステッピングモータドライバ７０を介して、パルス幅変調（ＰＷＭ）制御により駆動される。制御部９０は、ＤＳＰ５０に、光ピックアップ１０を、目的の位置まで移動させるように指示する。この指示を受けて、ＤＳＰ５０は、所定の速度プロファイルに従って、光ピックアップ１０を、目的の位置まで移動させるためのパルス幅変調信号を生成し、ステッピングモータドライバ７０に供給する。ステッピングモータドライバ７０は、ＤＳＰ５０から出力されたＰＷＭ信号を増幅してステッピングモータ２５に供給する。供給されたＰＷＭ信号に従って、ステッピングモータ２５及びリードスクリュー２１が回転し、光ピックアップ１０が、目標とする光ディスク媒体２００の記録面上のトラックに対応する位置まで移動する。このような動作を一般に、シーク動作という。
【００１７】
図３には、光ピックアップ１０の具体的な構成が示されている。図３に示されるように、光ピックアップ１０は、レーザダイオード１１と、検出装置としての温度センサ１２と、光学系１３と、対物レンズ１４と、フォトダイオード１５と、アクチュエータ１８と、を備える。
【００１８】
レーザダイオード１１は、レーザドライバ４５から電力の供給を受けて、例えば発振波長が４０５ｎｍの青紫色レーザ光を発振出力する。青紫色レーザ光の発振出力がなされるには、レーザダイオード１１の温度が所定の範囲（例えば、０〜＋６０℃）に収まっている必要がある。レーザダイオード１１の温度を管理するために、レーザダイオード１１に温度センサ１２が取り付けられている。温度センサ１２は、レーザダイオード１１の温度を感知し、その温度情報を含む信号を出力する。この信号は、検出回路８０に出力される。
【００１９】
図１に示されるように、検出回路８０は、温度センサ１２の出力信号に基づいて、レーザダイオード１１の温度を検出し、制御部９０に出力している。制御部９０は、検出回路８０から出力されたレーザダイオード１１の温度に基づいて、後述するように、レーザダイオード１１の温度調整を行う。
【００２０】
レーザダイオード１１からの青紫色レーザ光は、光学系１３に入射する。光学系１３は、コリメータレンズ、ビームスプリッタ、λ／４板（いずれも不図示）などを備えている。光学系１３は、レーザダイオード１１からのレーザ光を、対物レンズ１４に導くとともに、対物レンズ１４から出射された光をフォトダイオード１５に導く。
【００２１】
対物レンズ１４は、光学系１３からのレーザ光を、光ディスク媒体２００の記録面に集光させてビームスポットを形成するとともに、その記録面からの反射光を入射して平行光に変換し、光学系１３に出射する。
【００２２】
フォトダイオード１５は、光学系１３によって導かれた反射光を受光する。フォトダイオード１５の光電変換により生成された電気信号は、ＲＦ回路３０に出力される。
【００２３】
ＲＦ回路３０は、光ピックアップ１０を構成するフォトダイオード１５から出力された電気信号に基づいて、ＦＥ（Focus Error）信号、ＴＥ（Tracking Error）信号及びＲＦ信号等を生成する。これらの信号は、ＤＳＰ５０に出力される。
【００２４】
ＦＥ信号は、光ディスク媒体２００の記録面におけるビームスポットのフォーカスずれを示す信号であり、ＴＥ信号は、光ディスク媒体２００のトラックからのビームスポットのトラッキングずれを示す信号である。光ディスク媒体２００の記録面に記録されたデータの再生を正確に行うためには、青紫色レーザ光のビームスポットを、その光ディスク媒体２００の記録面上に合致させ、かつ、記録面上のトラックに追従させる必要がある。ＦＥ信号及びＴＥ信号は、そのようなビームスポットのフォーカシング及びトラッキング制御に用いられる。
【００２５】
図３に示されるように、対物レンズ１４は、アクチュエータ１８の駆動によって、フォーカス方向及びトラッキング方向に微動可能となっており、アクチュエータ１８は、アクチュエータドライバ６０から供給される駆動電力に応じて、対物レンズ１４の位置をフォーカス方向及びトラック方向に微調整できるようになっている。
【００２６】
ＤＳＰ５０は、ＲＦ回路３０から出力されたＦＥ信号及びＴＥ信号に位相補償を施し、位相が補償されたＦＥ信号及びＴＥ信号に基づいて、アクチュエータ１８の制御信号を生成して、アクチュエータドライバ６０に出力する。アクチュエータドライバ６０は、この制御信号に基づいて、アクチュエータ１８に駆動電圧を供給する。この駆動電圧によりアクチュエータ１８が駆動され、青紫色レーザ光のビームスポットが光ディスク媒体２００の記録面上で維持されるようになり、そのビームスポットが光ディスク媒体２００のトラックに追従するようになる。
【００２７】
さらに、ＤＳＰ５０は、ＲＦ信号から同期信号を抽出する。そして、ＤＳＰ５０は、抽出された同期信号と、制御部９０によって定められた基準信号との位相差に応じたスピンドルモータ８６の制御信号を生成する。生成された制御信号は、スピンドルモータドライバ８５に出力される。
【００２８】
スピンドルモータドライバ８５は、ＤＳＰ５０から出力された制御信号に応じた電力をスピンドルモータ８６に供給する。スピンドルモータ８６は、スピンドルモータドライバ８５より供給された電力に応じて、光ディスク媒体２００を回転駆動する。
【００２９】
ＲＦ回路３０は、ＲＦ信号を、信号処理回路４０にも出力している。信号処理回路４０は、ＲＦ回路３０から出力されたＲＦ信号をデコードして、データ信号を生成する。生成されたデータ信号は、制御部９０に出力される。制御部９０は、信号処理回路４０から出力されたデータ信号に基づいてデータを再生する。
【００３０】
一連のデータ再生動作は、制御部９０の制御によって実現される。制御部９０は、不図示のＣＰＵ（Central Processing Unit）やＲＯＭ（Read Only Memory）やＲＡＭ（Random Access Memory）等から構成されている。制御部９０は、例えばＲＯＭに格納された制御プログラムを、ＣＰＵが実行することにより、光ディスク装置１００全体を統括制御する。実際には、制御部９０は、信号処理回路４０及びＤＳＰ５０に対して動作指令を出力することにより、光ディスク装置１００全体を統括制御する。
【００３１】
より具体的には、制御部９０は、ＤＳＰ５０に対してシーク動作指令を送る。シーク動作指令を受けて、ＤＳＰ５０は、ステッピングモータドライバ７０を介してステッピングモータ２５を回転させ、光ピックアップ１０を光ディスク媒体２００の目的とするトラック上へ移動させる。シーク動作が完了すると、制御部９０は、信号処理回路４０及びＤＳＰ５０に対して、データ再生指令を送る。この指令を受けて、信号処理回路４０は、レーザダイオード１１の制御信号をレーザドライバ４５に出力し、レーザダイオード１１に青紫色レーザ光を発振出力させる。また、この指示を受けて、ＤＳＰ５０は、上述したように、フォーカシング、トラッキング及びスピンドル制御を行う。制御部９０は、信号処理回路４０から出力されたデータ信号に基づいてデータを再生する。
【００３２】
この光ディスク装置１００において、ＲＦ回路３０、信号処理回路４０、ＤＳＰ５０、各種ドライバ６０、７０、８５、制御部９０は、各種ＬＳＩ等の電気部品から構成されている。これらの電気部品は、図４に示されるように、回路基板１１０に実装されている。回路基板１１０は、光ピックアップ１０の移動範囲の下部近傍に、リードスクリュー２１と略平行に配置されている。
【００３３】
本実施形態では、回路基板１１０上の電気部品の配置に工夫がなされている。すなわち、回路基板１１０では、光ピックアップ１０の近傍位置に、発熱量の大きな電気部品（高発熱部品）が配置されるようなレイアウト設計がなされている。本実施形態では、図４に示されるように、光ピックアップ１０の可動範囲内の領域であって、光ディスク媒体２００の半径方向外側の領域である領域Ａに、高発熱部品が幾つか配置されている。このような高発熱部品は、一般に、消費電力が大きい部品である。例えば、制御部９０を構成するＣＰＵや、電源回路などが高発熱部品となる。これらの電気部品からの発熱により、領域Ａでは、周辺より温度が高くなっている。以下では、この領域ＡをヒートエリアＡと呼ぶ。なお、これら高発熱部品は、ヒートエリアＡを形成するために、すなわち、レーザダイオード１１を暖めるために新たに設けられたものではなく、光ディスク媒体２００に記録されたデータを再生するために設けられた電気部品である。ヒートエリアＡは、光ディスク媒体２００に記録されたデータを再生するための電気部品の発熱を利用して形成されている。なお、ヒートエリアＡは、その熱が装置１００内の他の部位に影響を与えないような位置に形成されるのが望ましい。この点を考慮して、本実施形態では、ヒートエリアＡの位置は、光ディスク媒体２００の半径方向外側の位置となっている。
【００３４】
次に、本実施形態に係る光ディスク装置１００の動作について説明する。図５には、光ディスク装置１００における電源投入後に行われる光ピックアップ１０のウォームアップ動作のフローチャートが示されている。また、図６（Ａ）〜図６（Ｅ）には、その動作が示されている。
【００３５】
電源が投入されていない状態では、図６（Ａ）に示されるように、回路基板１１０の各種電気部品は通電しておらず、それらの電気部品からの発熱量が０であるため、光ディスク装置１００内部の温度は均一となっている。電源投入後、回路基板１１０の各種電気部品が通電し、それらの電気部品が発熱することにより、図６（Ｂ）に示されるように、温度が高い領域、すなわちヒートエリアＡが形成されるようになる。この状態で、図５に示される処理が開始される。
【００３６】
図５に示されるように、まず、ステップ２０１において、制御部９０は、レーザダイオード１１の温度が所定温度Ｘ［℃］（例えば０度）以上であるか否かを判定する。制御部９０は、この判定が肯定されれば通常動作へ移行し、否定されればステップ２０３に進む。例えば、光ディスク装置１００が、自動車内に設置されたカーコンポーネントであり、極寒の環境下であるような場合には、ステップ２０３における判定が否定される場合が多くなる。
【００３７】
レーザダイオード１１の温度がＸ［℃］より低い場合、ステップ２０３において、制御部９０は、ＤＳＰ５０に対して、光ピックアップ１０のウォームアップ開始指令を送る。このウォームアップ開始指令を受けて、次のステップ２０５において、ＤＳＰ５０は、図６（Ｃ）に示されるように、光ピックアップ１０をヒートエリアＡに移動させる。
【００３８】
次のステップ２０７では、制御部９０は、光ディスク媒体２００が挿入されたか否かを判定する。制御部９０は、この判定が否定されればステップ２０９に進み、肯定されればステップ２１１に進む。ステップ２０９では、制御部９０は、光ピックアップ１０をヒートエリアＡに待機させ、レーザダイオード１１に対するウォームアップを継続する。ステップ２０９実行後は、制御部９０は、ステップ２０７に戻る。このようにして、光ディスク媒体２００が挿入されるまで、ステップ２０７→２０９が繰り返される。
【００３９】
光ディスク媒体２００が挿入され、ステップ２０７の判定が肯定された後は、制御部９０は、ステップ２１１に進む。ステップ２１１では、制御部９０は、レーザダイオード１１の温度が所定温度Ｘ［℃］（例えば０度）以上であるか否かを判定する。制御部９０は、この判定が肯定されれば通常動作へ移行し、否定されればステップ２１３に進む。制御部９０は、ステップ２１３では、図６（Ｄ）に示されるように、光ピックアップ１０をヒートエリアＡに待機させ、レーザダイオード１１に対するウォームアップを継続する。ステップ２１３実行後は、制御部９０は、ステップ２１１に戻る。このようにして、レーザダイオード１１の温度がＸ［℃］以上となるまで、ステップ２１１→２１３が繰り返される。レーザダイオードの温度がＸ［℃］以上となり、ステップ２１１の判定が肯定された後は、制御部９０は、図６（Ｅ）に示されるように、通常動作に移行し、レーザダイオード１１に青紫色レーザ光を発振出力させ、データの再生を開始する。この後、レーザダイオード１１の温度は、その自己発熱によりＸ度以上となるので、安定したレーザ発振が可能となる。
【００４０】
以上詳細に説明したように、上記実施形態によれば、制御部９０は、レーザダイオード１１の温度が、その発振出力が困難なほどに低温である場合には、ステッピングモータ２５の駆動により、回路基板１１０上の高発熱部品の近傍のヒートエリアＡ内に、光ピックアップ１０を移動させ、レーザダイオード１１をウォームアップさせる。このようにすれば、レーザダイオード１１の温度を、青紫色レーザ光の発振出力が可能な温度まで上げることができるようになるので、低温環境下にある場合でも、レーザダイオード１１を発振出力させることができる。
【００４１】
また、本実施形態に係る光ディスク装置１００は、レーザダイオード１１の温度を検出する温度センサ１２をさらに備えている。また、制御部９０は、温度センサ１２によって検出された温度が、Ｘ［℃］以上となるまで、光ピックアップ１０をヒートエリアＡに待機させる。このようにすれば、レーザダイオード１１の温度を正確に把握し、レーザダイオード１１を確実に発振出力させることができるようになる。
【００４２】
また、本実施形態では、光ディスク装置１００は、制御部９０等が実装された回路基板１１０をさらに備えており、回路基板１１０に実装された高発熱部品が、ヒートエリアＡに配置されている。このようにすれば、ヒータなどの特別な熱源を新たに設けずに、レーザダイオード１１の温度を上げることができるようになるので、低消費電力、装置の小型化、コスト低減が実現される。
【００４３】
なお、本実施形態では、回路基板１１０に実装された高発熱部品を用いてヒートエリアＡが形成されるようにしたが、ステッピングモータ２５などの発熱量を利用して、ヒートエリアＡが形成されるようにしてもよい。この他、スピンドルモータ８６等を、熱源として利用するようにしてもよい。このように、光ディスク装置１００に設けられた各種モータも、熱源として利用することができる。また、光ピックアップ１０の送りモータとしては、ステッピングモータ２５でなく、直流（ＤＣ）モータを用いることが可能であり、直流モータを、レーザダイオードを暖める熱源として利用することも可能である。
【００４４】
この他、光ディスク装置１００の電源回路なども、ヒートエリアＡを生成する熱源として用いることができる。
【００４５】
なお、本実施形態に係る光ディスク装置１００では、光ピックアップ１０の光源として、紫色レーザ光（ＢＤ又はＨＤ−ＤＶＤ用；波長４０５ｎｍ）を発振するレーザダイオードだけを有するものとして説明したが、赤色レーザ光（ＤＶＤ用；波長６６０〜６９０ｎｍ）を発振するレーザダイオードと、近赤外レーザ光（ＣＤ用；波長７８０ｎｍ）を発振するダイオードとをさらに有するものとしてもよいのは勿論である。
【００４６】
また、本実施形態に係る光ディスク装置１００は、再生装置であったが、光ディスク媒体２００への記録を行う記録装置、再生／記録装置にも、本発明を適用することができるのは勿論である。
【００４７】
また、上記実施形態では、制御プログラムが、ＲＯＭに予め記憶されているものとして説明した。この制御プログラムは、フレキシブルディスク、ＣＤ−ＲＯＭ（Compact Disc Read-Only Memory）、ＤＶＤ（Digital Versatile Disc）、ＭＯ（Magneto Optical disc）などのコンピュータ読み取り可能な記録媒体に格納して配布され、インストールされるようになっていてもよい。
【図面の簡単な説明】
【００４８】
【図１】本発明の一実施形態に係る光ディスク装置の構成を示す概略図である。
【図２】光ピックアップの送り機構の構成を示す図である。
【図３】図１の光ピックアップの概略的な構成を示す図である。
【図４】図１の光ピックアップ周辺の構成を示す図である。
【図５】光ディスク装置における電源投入後に行われるウォームアップ動作のフローチャートである。
【図６】図６（Ａ）〜図６（Ｅ）は、電源投入後のレーザダイオードの温度調整動作を示す図である。
【符号の説明】
【００４９】
１０  光ピックアップ
１１  レーザダイオード
１２  温度センサ
１３  光学系
１４  対物レンズ
１５  フォトダイオード
１８  アクチュエータ
２０  送り機構
２１  リードスクリュー
２２、２３  ストッパ
２４  ギア
２５  ステッピングモータ
３０  ＲＦ回路
４０  信号処理回路
４５  レーザドライバ
５０  デジタルサーボプロセッサ
６０  アクチュエータドライバ
７０  ステッピングモータドライバ
８０  検出回路
８５  スピンドルモータドライバ
８６  スピンドルモータ
９０  制御部
１００  光ディスク装置
１１０  回路基板
２００  光ディスク媒体
【図１】
2009283079.tif 000003
【図２】
2009283079.tif 000004
【図３】
2009283079.tif 000005
【図４】
2009283079.tif 000006
【図５】
2009283079.tif 000007
【図６】
2009283079.tif 000008